(57)【要約】【課題】二重変調画像投射装置として、色むらと輝度むらを容易に個別に低減する。【解決手段】画像投射装置１００は、光源１０１からの第１の光を変調して第２の光を生成する第１の光変調素子１０２と、第２の光を変調する第２の光変調素子１０４とを有し、第２の光変調素子からの光により形成される投射画像を被投射面に投射する。駆動手段１０７，１１０は、投射画像の色むらを補正するための色むら補正データを用いて第１および第２の光変調素子のうち一方の光変調素子を駆動し、投射画像の輝度むらを補正するための輝度むら補正データを用いて第１および第２の光変調素子のうち他方の光変調素子を駆動する。【選択図】図１
2019041189.tif 000002
【特許請求の範囲】
【請求項１】
光源からの第１の光を変調して第２の光を生成する第１の光変調素子と、
前記第２の光を変調する第２の光変調素子とを有し、
前記第２の光変調素子からの光により形成される投射画像を被投射面に投射する画像投射装置であって、
前記投射画像の色むらを低減するための色むら補正データを用いて前記第１および第２の光変調素子のうち一方の光変調素子を駆動し、前記投射画像の輝度むらを低減するための輝度むら補正データを用いて前記第１および第２の光変調素子のうち他方の光変調素子を駆動する駆動手段を有することを特徴とする画像投射装置。
【請求項２】
前記第２の光を前記第２の光変調素子に導く導光光学系を有し、
前記色むらおよび前記輝度むらが、前記導光光学系および前記投射画像を前記被投射面に投射する投射光学系において発生することを特徴とする請求項１に記載の画像投射装置。
【請求項３】
前記駆動手段は、前記投射画像の輝度分布を維持しつつ前記色むらを低減するように前記第一方の光変調素子を駆動することを特徴とする請求項１または２に記載の画像投射装置。
【請求項４】
前記駆動手段は、前記投射光学系の光学状態または光学特性に応じて、前記輝度むら補正データを選択することを特徴とする請求項１から３のいずれかに記載の画像投射装置。
【請求項５】
前記駆動手段は、前記画像投射装置の表示モードまたは投射モードに応じて、前記輝度むらを低減するための前記第２の光変調素子の駆動を行うか否かを選択することを特徴とする請求項１から４のいずれか一項に記載の画像投射装置。
【請求項６】
前記第２の光変調素子の画素数が前記第１の光変調素子の画素数より少なく、
前記駆動手段は、前記第１の光変調素子における第１の画素領域ごとに前記色むらを低減する駆動を行い、前記第２の光変調素子における複数の前記第１の画素領域に対応する１つの第２の画素領域ごとに前記輝度むらを低減する駆動を行うことを特徴とする請求項１から４のいずれか一項に記載の画像投射装置。
【請求項７】
光源からの第１の光を変調して第２の光を生成する第１の光変調素子と、前記第２の光を変調する第２の光変調素子とを有し、前記第２の光変調素子からの光により形成される投射画像を被投射面に投射する画像投射装置の駆動方法であって、
前記投射画像の色むらを低減するための色むら補正データを用いて前記第１および第２の光変調素子のうち一方の光変調素子を駆動するステップと、
前記投射画像の輝度むらを補正するための輝度むら補正データを用いて前記第１および第２の光変調素子のうち他方の光変調素子を駆動するステップとを有することを特徴とする画像投射装置の駆動方法。
【請求項８】
光源からの第１の光を変調して第２の光を生成する第１の光変調素子と、前記第２の光を変調する第２の光変調素子とを有し、前記第２の光変調素子からの光により形成される投射画像を被投射面に投射する画像投射装置のコンピュータに前記第１および第２の光変調素子を駆動する駆動処理を実行させるコンピュータプログラムであって、
前記駆動処理は、
前記投射画像の色むらを補正するための色むら補正データを用いて前記第１および第２の光変調素子のうち一方の光変調素子を駆動する処理と、
前記投射画像の輝度むらを補正するための輝度むら補正データを用いて前記第１および第２の光変調素子のうち他方の光変調素子を駆動する処理とを含むことを特徴とする画像投射装置の駆動プログラム。
【発明の詳細な説明】
【技術分野】
【０００１】
本発明は、画像投射装置（以下、プロジェクタという）に関する。
【背景技術】
【０００２】
光源からの光を分離して得られた赤光、緑光および青光をそれぞれ第１の光変調素子により変調し、さらに第１の光変調素子からの赤光、緑光および青光の合成光を第２の光変調素子により変調するプロジェクタが特許文献１にて開示されている。このような二重変調プロジェクタでは、高ダイナミックレンジを実現することが可能である。
【０００３】
ただし、第１および第２の光変調素子、これらの間に設けられた光学系、さらに第２の光変調素子により変調された合成光を被投射面に投射する投射レンズにおいて発生した色むらや輝度むらが積算されて、投射画像の画質が低下するおそれがある。輝度むらを補正する機能を有するプロジェクタは特許文献２に開示されている。
【先行技術文献】
【特許文献】
【０００４】
【特許文献１】特開２００７―３１００４５号公報
【特許文献２】特開２００７―２３５４８６号公報
【発明の概要】
【発明が解決しようとする課題】
【０００５】
上記のような二重変調プロジェクタにおいて、輝度むらを第１の光変調素子で補正する際には、第２の光変調素子との解像度や変調特性の差異を考慮して該補正を行う必要があり、処理が複雑化する。また、光学部材の熱変形や経時劣化によって色むらや輝度むらの状態が個別に変化する場合があるため、色むらと輝度むらを個別に補正（低減）できることが望ましい。
【０００６】
本発明は、二重変調プロジェクタとして、色むらと輝度むらを容易に個別に低減することができるようにした画像投射装置を提供する。
【課題を解決するための手段】
【０００７】
本発明の一側面としての画像投射装置は、光源からの第１の光を変調して第２の光を生成する第１の光変調素子と、第２の光を変調する第２の光変調素子とを有し、第２の光変調素子からの光により形成される投射画像を被投射面に投射する。該画像投射装置は、投射画像の色むらを補正するための色むら補正データを用いて第１および第２の光変調素子のうち一方の光変調素子を駆動し、投射画像の輝度むらを補正するための輝度むら補正データを用いて第１および第２の光変調素子のうち他方の光変調素子を駆動する駆動手段を有することを特徴とする。
【０００８】
また、本発明の他の一側面としての駆動方法は、光源からの第１の光を変調して第２の光を生成する第１の光変調素子と、第２の光を変調する第２の光変調素子とを有し、第２の光変調素子からの光により形成される投射画像を被投射面に投射する画像投射装置に適用される。該駆動方法は、投射画像の色むらを補正するための色むら補正データを用いて第１および第２の光変調素子のうち一方の光変調素子を駆動するステップと、投射画像の輝度むらを補正するための輝度むら補正データを用いて第１および第２の光変調素子のうち他方の光変調素子を駆動するステップとを有することを特徴とする。
【０００９】
なお、上記駆動方法に従う処理を画像投射装置のコンピュータに実行させる駆動プログラムも、本発明の他の一側面を構成する。
【発明の効果】
【００１０】
本発明によれば、第１および第２の光変調素子による二重変調を行う画像投射装置において、色むらと輝度むらを容易に個別に補正することができる。
【図面の簡単な説明】
【００１１】
【図１】本発明の実施例1であるプロジェクタの構成を示すブロック図。
【図２】実施例1における色むら補正処理を示すフローチャート。
【図３】実施例1における輝度むら補正処理を示すフローチャート。
【図４】実施例1における色むら補正を説明する図。
【図５】実施例1における色むら補正データの生成方法を説明する図。
【図６】実施例1における輝度むら補正を説明する図。
【図７】実施例1における輝度むら補正データの生成方法を説明する図。
【図８】、本発明の実施例２であるプロジェクタの構成を示す図
【発明を実施するための形態】
【００１２】
以下、本発明の実施例について図面を参照しながら説明する。
【実施例１】
【００１３】
図１は、本発明の実施例１である二重変調画像投射装置としてのプロジェクタ１００の構成を示す。プロジェクタ１００は、光源としてのランプユニット１０１から出射した照明光（第１の光）は、不図示の色分離光学系によって赤（Ｒ）光、緑（Ｇ）光および青（Ｂ）光に分離される。Ｒ光、Ｇ光およびＢ光はそれぞれ、色ごとに設けられた色変調パネル１０２によって変調される。なお、図では色変調パネル１０２を１つのみ示している。本実施例では色変調パネル１０２として反射型液晶パネルを用いる。ただし、透過型液晶パネルを用いてもよい。色変調パネル１０２は、第１の光変調素子および第２の光変調素子のうち一方の光変調素子に相当する。
【００１４】
Ｒ、ＧおよびＢ用の３つの色変調パネル１０２により変調されたＲ、ＧおよびＢの画像光（第２の光）は、不図示の色合成光学系により合成されて合成光となる。この合成光は、結像光学系としてのリレーレンズ１０３によって輝度変調パネル１０４に導かれ、この輝度変調パネル１０４によってさらに変調される。色合成光学系およびリレーレンズ１０３によって導光光学系が構成される。本実施例では輝度変調パネル１０４として透過型液晶パネルを用いる。ただし、反射型液晶パネルを用いてもよい。なお、本実施例では、色変調パネル１０２および輝度変調パネル１０４として液晶パネルを用いるが、デジタルマイクロデバイスを用いてもよい。輝度変調パネル１０４は、第１の光変調素子および第２の光変調素子のうち他方の光変調素子に相当する。
【００１５】
輝度変調パネル１０４により変調された光は、投射光学系としての投射レンズ１０５によりスクリーン等の不図示の被投射面に投射される。これにより、輝度変調を受けた合成光により形成されるフルカラー画像としての投射画像が表示される。
【００１６】
次に、本実施例のプロジェクタ１００において行われる画像処理について説明する。映像処理部１０６は、色変調パネル駆動部１０７および輝度変調パネル駆動部１１０に入力する信号を生成する。具体的には、映像処理部１０６は、不図示の映像供給装置から入力された映像信号ＶＳを画像信号ＩＳと輝度信号ＹＳに変換し、画像信号ＩＳを色変調パネル駆動部１０７に、輝度信号ＹＳを輝度変調パネル駆動部１１０にそれぞれ出力する。色変調パネル駆動部１０７および輝度変調パネル駆動部１１０により駆動手段が構成される。
【００１７】
映像供給装置は、パーソナルコンピュータ、ＤＶＤプレーヤ、テレビチューナ等を含む。また、映像信号ＶＳは、ＨＤＭＩ（登録商標）信号、ＤＶＩ信号、ＶＧＡ信号等を含む。さらに、画像信号ＩＳと輝度信号ＹＳは、映像信号ＶＳに基づいて解像度変換処理等の信号処理が施された信号である。画像信号ＩＳは、Ｒ画像信号、Ｇ画像信号およびＢ画像信号を含み、輝度信号ＹＳは映像信号ＶＳの輝度成分である。
【００１８】
次に、本実施例のプロジェクタ１００において行われる色むら補正処理について説明する。色むらとは、無彩色の映像信号ＶＳが入力された際に投射画像が色付く現象である。本実施例における色むら補正処理は、投射画像の輝度分布を維持しつつ（変化を抑えつつ）色むらを補正する。
【００１９】
色変調パネル駆動部１０７は、色変調ガンマ補正部１０８および色むら補正部１０９を有し、映像処理部１０６から入力された画像信号ＩＳに基づいて色変調パネル１０２を駆動するための色変調パネル駆動信号を生成する。色変調ガンマ補正部１０８は、メモリ１１３にルックアップテーブルとして保持（記憶）されている色変調ガンマ補正データ１１５を用いて、色変調パネル１０２の電圧（Ｖ）−反射率（Ｒ）特性に応じた画像信号ＩＳに対する補正（以下、Ｖ−Ｒ補正という）を行う。メモリ１１３は、例えば不揮発性メモリである。色変調ガンマ補正部１０８によってＶ−Ｒ補正がなされた画像信号ＩＳは、色むら補正部１０９に出力される。
【００２０】
色むら補正部１０９は、メモリ１１３に保持されている色むら補正データ１１４を用いて、Ｖ−Ｒ補正後の画像信号ＩＳに対して色むら補正を行う。色むら補正データ１１４は、色むらを補正するための色むら補正値がテーブル化されたデータであり、色むら補正値が画像信号ＩＳのレベルに応じてＲ、ＧおよびＢのそれぞれに対して用意されている。色むら補正部１０９は、色むらを画素ごとに補正してもよいし、メモリ１１３の記憶容量を抑えるために全画素領域を複数のブロックに分割してブロックごとの代表画素の補正値を用いてそのブロックの色むら補正を行ってもよい。
【００２１】
色むら補正値は、被投射面に投射された複数の輝度を有する無彩色画像を不図示の色むら測定用カメラで撮像して得られた画像データにおいて色むらが少なくなるように設定される。色むら補正値および色むら補正データ１１４についての詳細は後述する。
【００２２】
図２のフローチャートを用いて、色変調パネル駆動部１０７（色変調ガンマ補正部１０８および色むら補正部１０９）が行うパネル駆動処理（駆動方法）について説明する。以下の説明では、Ｒ、ＧおよびＢごとの説明はしないが、実際にはＲ、ＧおよびＢごとに処理が行われる。また、色変調パネル駆動部１０７はコンピュータにより構成され、コンピュータプログラムであるパネル駆動プログラムに従って本処理を実行する。以下の説明および図において、「Ｓ」はステップを意味する。
【００２３】
Ｓ２００では、色変調ガンマ補正部１０８は、プロジェクタ１００起動に際してメモリ１１３に保持された色変調ガンマ補正データ１１５を読み込む。また、Ｓ２０１では、色むら補正部１０９は、プロジェクタ１００の起動に際してメモリ１１３に保持された色むら補正データ１１４を読み込む。
【００２４】
次にＳ２０２では、色変調ガンマ補正部１０８は、映像処理部１０６からの画像信号ＩＳの取り込みを開始する。
【００２５】
Ｓ２０３では、色変調ガンマ補正部１０８は、画像信号ＩＳに基づいてＶ−Ｒ補正のための補正値（以下、Ｖ−Ｒ補正値という）を選択する。
【００２６】
次にＳ２０４では、色変調ガンマ補正部１０８は、選択したＶ−Ｒ補正値を用いて画像信号ＩＳを補正する。
【００２７】
次にＳ２０５では、色むら補正部１０９は、Ｖ−Ｒ補正がなされた画像信号ＩＳに基づいて、色むら補正データ１１４から適切な色むら補正値を選択する。
【００２８】
次にＳ２０６では、色むら補正部１０９は、選択した色むら補正値を用いて、Ｖ−Ｒ補正がなされた画像信号ＩＳを補正することで、色変調パネル駆動信号を生成する。
【００２９】
次にＳ２０７では、色変調パネル駆動部１０７は、色変調パネル駆動信号を色変調パネル１０２に出力して該色変調パネル１０２を駆動する。以上の処理により、Ｒ、ＧおよびＢごとに色むらを補正するように色変調パネル１０２を駆動することができ、投射画像におけるＲ、ＧおよびＢごとの色むらを低減することができる。
【００３０】
次に、本実施例のプロジェクタ１００において行われる輝度むら補正処理について説明する。輝度むらとは、無彩色の映像信号が入力された際に、投射画像の領域によって明るさに差が生じる現象をいう。
【００３１】
輝度変調パネル駆動部１１０は、輝度変調ガンマ補正部１１１および輝度むら補正部１１２を有し、映像処理部１０６から入力された輝度信号ＹＳに基づいて輝度変調パネル１０４を駆動する輝度変調パネル駆動信号を生成する。輝度変調ガンマ補正部１１１は、メモリ１１３にルックアップテーブルとして保持（記憶）されている輝度変調ガンマ補正データ１１７を用いて、輝度変調パネル１０４の電圧（Ｖ）−透過率（Ｔ）特性に応じた輝度信号ＹＳに対する補正（以下、Ｖ−Ｔ補正という）を行う。輝度変調ガンマ補正部１１１によってＶ−Ｔ補正がなされた輝度信号ＹＳは、輝度むら補正部１１２に出力される。
【００３２】
輝度むら補正部１１２は、メモリ１１３に保持されている輝度むら補正データ１１６を用いて、Ｖ−Ｔ補正後の輝度信号ＹＳに対して輝度むら補正を行う。輝度むら補正データ１１６は、輝度むらを補正するための輝度むら補正値がテーブル化されたデータである。輝度むら補正値は、被投射面に投射された無彩色画像を不図示の輝度むら測定用カメラで撮像して得られた画像データにおいて輝度むらが少なくなるように設定される。輝度むら補正値および輝度むら補正データ１１６についての詳細は後述する。
【００３３】
図３のフローチャートを用いて、輝度変調パネル駆動部１１０（輝度変調ガンマ補正部１１１および輝度むら補正部１１２）が行うパネル駆動処理について説明する。Ｓ３００では、輝度変調ガンマ補正部１１１は、輝度むら補正が有効であるか否かを判断する。この判断には、イメージモードやマルチ投射等のプロジェクタ１００の状態を用いる。輝度むら補正が有効であると判断した場合は、輝度変調ガンマ補正部１１１はＳ３０１に進み、輝度むら補正が有効でないと判断した場合は本処理を終了する。
【００３４】
Ｓ３０１では、輝度変調ガンマ補正部１１１は、プロジェクタ１００の起動に際してメモリ１１３に保持された輝度変調ガンマ補正データ１１７を読み込む。またＳ３０２では、輝度むら補正部１１２は、プロジェクタ１００の起動に際してメモリ１１３に保持された輝度むら補正データ１１６を読み込む。
【００３５】
次にＳ３０３では、輝度変調ガンマ補正部１１１は、映像処理部１０６からの輝度信号ＹＳの取り込みを開始する。
【００３６】
そしてＳ３０４では、輝度変調ガンマ補正部１１１は、輝度信号ＹＳに基づいてＶ−Ｔ補正のための補正値（以下、Ｖ−Ｔ補正値という）を選択する。
【００３７】
次にＳ３０５では、輝度変調ガンマ補正部１１１は、選択したＶ−Ｔ補正値を用いて輝度信号ＹＳを補正する。
【００３８】
次にＳ３０６では、輝度むら補正部１１２は、Ｖ−Ｔ補正がなされた輝度信号ＹＳに基づいて、輝度むら補正データ１１６から適切な輝度むら補正値を選択する。
【００３９】
次にＳ３０７では、輝度むら補正部１１２は、選択した輝度むら補正値を用いて、Ｖ−Ｔ補正がなされた輝度信号ＹＳを補正することで、輝度変調パネル駆動信号を生成する。
【００４０】
次にＳ３０８では、輝度変調パネル駆動部１１０は、輝度変調パネル駆動信号を輝度変調パネル１０４に出力して該輝度変調パネル１０４を駆動する。以上の処理により、輝度むらを補正するように輝度変調パネル１０４を駆動することができ、投射画像における輝度むらを低減することができる。
【００４１】
図４を用いて、輝度むら補正値およびそのデータテーブルである色むら補正データ１１４についてより詳細に説明する。図４の左側には、被投射面上に投射された無彩色画像としての投射画像を色むら測定用カメラで撮像して得られたＲＧＢデータとしての色むら撮像データ４０１を示す。色むら補正値は、この色むら撮像データ４０１を解析することで得られる。
【００４２】
色むら撮像データ４０１のうちハッチングした右上の画像領域には、色変調パネル１０２の液晶セル内の液晶層の厚み（セルギャップ）の不均一性やランプユニット１０１、色光分離光学系、色光合成光学系、リレーレンズ１０３および投射レンズ１０５を含む光学系に起因する色むらが発生している。例えば投射画像がグレー画像である場合に、右上画像領域にやや赤みを帯びた色むらが発生している。
【００４３】
色むら補正データ１１４は、それぞれ色むら補正値のデータテーブルとしてのＲ補正テーブル４０２Ｒ，Ｇ補正テーブル４０２ＧおよびＢ補正テーブル４０２Ｂを含む。これらＲ，ＧおよびＢ補正テーブル４０２Ｒ，４０２Ｇ，４０２Ｂはそれぞれ、画像信号ＩＳのうちＲ、ＧおよびＢ画像信号に適用するＲ、ＧおよびＢ用の色むら補正値のデータテーブルである。各補正テーブルには、Ｒ、ＧおよびＢ画像信号（つまりはＲ、ＧおよびＢ用色変調パネル１０２）の水平および垂直方向の１つ又は複数の画素を含む画素領域ごとの色むら補正値が含まれている。
【００４４】
上述した例のように投射画像（色むら撮像データ４０１）の右上画像領域に発生した赤い色むらを補正するために、Ｒ補正テーブル４０２ＲのうちＲ画像信号の右上画素領域に適用する色むら補正値は、該Ｒ画像信号の赤の強度を下げる補正値である。また、ＧおよびＢ補正テーブル４０２Ｇ，４０２ＢのうちＧおよびＢ画像信号の右上画素領域に適用する色むら補正値はそれぞれ、該ＧおよびＢ画像信号の強度を上げる補正値である。
【００４５】
例えば右上ブロックの色むらを補正する際に、青と緑の強度に合わせて赤の強度を下げるような色むら補正データでは、輝度むら補正時に右上ブロックの輝度低下に合わせて他のブロックの輝度を低下させる必要がある。この結果、投射像が暗くなる。一方、本実施例のように、左隣のブロックの輝度に合わせるように緑と青の強度を上げるような補正データであれば、色むら補正後の輝度むら発生量を低減できるため輝度むら補正後の投射像全体の輝度低下を抑えることができる。
【００４６】
図５は、色むら補正データ１１４の生成方法を示している。色むら補正値は、入力されたＲ，ＧおよびＢ画像信号のレベル（以下、入力画像レベルという）に応じて異なる。このため、複数の入力画像レベルのそれぞれに対するＲ，ＧおよびＢ補正テーブル４０２Ｒ，４０２Ｇ，４０２Ｂを作成して、これらを色むら補正データ１１４としてメモリ１１３に保持させる。色むら補正部１０９は、色むら補正データ１１４から、色むら補正を行う画素領域ごとにＲ，ＧおよびＢの入力画像レベルに応じた適切な色むら補正値を選択してＲ，ＧおよびＢ画像信号を補正し、色変調パネル駆動信号を生成する。
【００４７】
図６を用いて、輝度むら補正値およびそのデータテーブルである輝度むら補正データ１１６についてより詳細に説明する。図６の左側には、被投射面上に投射された無彩色画像としての投射画像を輝度むら測定用カメラで撮像して得られたＲＧＢデータとしての輝度むら撮像データ６０１を示す。輝度むら補正値は、輝度むら撮像データ６０１を解析することで得られる。輝度むら撮像データ６０１のうちハッチングした右側の画像領域には、ランプユニット１０１、リレーレンズ１０３および投射レンズ１０５を含む光学系に起因して左側の画像領域より暗くなる輝度むらが発生している。
【００４８】
輝度むら補正データ１１６には、輝度信号ＹＳの水平および垂直方向の１つ又は複数の画素を含む画素領域ごとの輝度むら補正値が含まれている。このとき、色変調パネル１０２に比べて輝度変調パネル１０４の解像度が小さい（画素数が少ない）場合は、輝度むら補正を行う画素領域の数は色むら補正を行う画素領域の数より少なくてもよい。言い換えれば、画像信号（色変調パネル１０２）における第１の画素領域ごとに色むら補正を行う場合に、輝度信号（輝度変調パネル１０４）における複数の第１の画素領域に対応する１つの第２の画素領域ごとに輝度むら補正を行えばよい。
【００４９】
上述した例のように輝度むら撮像データ６０１の右側画素領域が左側画素領域より暗い輝度むらを補正するために、輝度信号ＹＳの左側画素領域に適用する輝度むら補正値は該左側画素領域の輝度（すなわちパネル透過率）を下げる補正値である。一方、輝度信号ＹＳの右側画素領域に適用する輝度むら補正値は、該右側画素領域の輝度（パネル透過率）を上げる補正値である。このような輝度むら補正値を用いることで、投射画像の輝度むらを低減することができる。
【００５０】
図７は、輝度むら補正データ１１６の生成方法を示している。輝度むら補正値は、輝度信号ＹＳのレベル（以下、入力輝度レベルという）に応じて異なる。このため、複数の入力輝度レベルのそれぞれに対する輝度むら補正データ１１６を作成して、これらをメモリ１１３に保持させる。輝度むら補正部１１２は、輝度むら補正を行う画素領域ごとに入力輝度レベルに応じた適切な輝度むら補正値を選択して輝度信号ＹＳを補正し、輝度変調パネル駆動信号を生成する。
【００５１】
次に、色むら補正とは独立して輝度むら補正を行うことの効果について説明する。第１に、色むら補正は投射画像の輝度分布を維持しつつ行われるために、輝度むら補正データ１１６（輝度むら補正値）を調整する場合に、輝度むら補正データ１１６のみを調整すればよい。例えば、光学系の熱や経時劣化によって輝度分布が変化した場合は輝度むら補正データ１１６を補正すればよい。一方、色むらが変化した場合は、色むら補正データ１１４のみを調整すればよい。
【００５２】
また、プロジェクタ１００の表示モード（ユーザの好みや目的に応じた画質が得られるモード）や投射モード（例えば複数のプロジェクタを用いたマルチプロジェクションモード）によって輝度むら補正を行うか否かを選択してもよい。例えば、投射画像の明るさを重視した明るさ優先表示モード（特定の表示モード）では投射画像全体が暗くなる輝度むら補正を行わないようにし、それ以外の表示モードでは輝度むら補正を行う。また、マルチプロジェクションモード（特定の投射モード）では、複数のプロジェクタからの投射画像の輝度分布が均一であることが望ましいため、輝度むら補正を行う。
【００５３】
さらに、投射レンズ１０５のズーム状態や投射光軸に対するシフト状態等の光学状態および光学特性が異なる投射レンズ１０５の種類が変更されて輝度むらが変化した場合には、輝度むら補正データ１１６をその光学状態用や種類（光学特性）用に切り替えればよい。このためには、輝度むら補正データ１１６を光学状態ごとおよび種類（光学特性）ごとに用意しておく必要があるが、投射レンズ１０５の光学状態や種類にかかわらず、適切な輝度むら補正を行うことができる。
【００５４】
以上説明したように、本実施例では、色変調パネル１０２の駆動において色むら補正を行い、輝度変調パネル１０４の駆動において輝度むら補正を行う。これにより、色変調パネル１０２の駆動において輝度むら補正を行う場合と比べて、輝度変調パネル１０４の解像度やパネル特性の差異等を考慮した複雑な輝度むら補正が不要となり、輝度むら補正を容易に行うことができる。また、輝度むら補正を行わずに色むら補正のみを行ったり色むら補正を行わずに輝度むら補正のみを行ったりというように、色むら補正と輝度むら補正の少なくとも一方とを必要に応じて行うことができる。
【実施例２】
【００５５】
図８は、本発明の実施例２である二重変調画像投射装置としてのプロジェクタ８００の構成を示す。なお、本実施例のプロジェクタ８００において、実施例１（図１）のプロジェクタ１００と共通する構成要素には実施例１と同符号を付して説明に代える。
【００５６】
ランプユニット１０１から出射した照明光（第１の光）は、不図示の光学系により輝度変調パネル（他方の光変調素子）８０４に導かれて変調される。本実施例では、輝度変調パネル８０４として反射型液晶パネルを用いる。ただし、デジタルマイクロミラーデバイスや透過型液晶パネルを用いてもよい。
【００５７】
輝度変調パネル８０４にて変調された輝度変調光（第２の光）は、結像光学系としてのリレーレンズ８０３および不図示の色分離光学系からなる導光光学系を介して色変調パネル（一方の光変調素子）８０３に導かれる。色分離光学系は、輝度変調光をＲ光、Ｇ光およびＢ光に分離して、色ごとに設けられた色変調パネル８０２に導く。なお、図には色変調パネル８０２を１つのみ示している。本実施例では、色変調パネル８０２として反射型液晶パネルを用いる。ただし、透過型液晶パネルやデジタルマイクロミラーデバイスを用いてもよい。
【００５８】
Ｒ、ＧおよびＢ用の３つの色変調パネル８０２により変調されたＲ、ＧおよびＢの画像光は、不図示の色合成光学系により合成されて合成光となる。この合成光は、投射光学系としての投射レンズ１０５により不図示の被投射面に投射される。これにより、輝度変調を受けた合成光により形成されるフルカラー画像としての投射画像が表示される。
【００５９】
本実施例のプロジェクタ８００のように輝度変調パネル８０４によって変調した光を色変調パネル８０２によってさらに変調する構成においても、実施例１で説明した方法と同様の方法で色むら補正と輝度むら補正を互いに独立に行う。
【００６０】
ただし、色むら補正データ１１４を作成した後に輝度むら補正データ１１６を作成して輝度むら補正を行うと、輝度むら補正の影響によって色むらが生じる場合がある。その場合は、色むら補正と輝度むら補正を複数回繰り返すことで、色むらと輝度むらをともに低減させることができる。色むら補正後の輝度むらの発生量が十分に低減できるような色むら補正が可能であれば、繰り返し回数を減らすことができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する部（例えば、ＡＳＩＣ）によっても実現可能である。
【００６１】
以上説明した各実施例は代表的な例にすぎず、本発明の実施に際しては、各実施例に対して種々の変形や変更が可能である。
【符号の説明】
【００６２】
１００，８００  プロジェクタ
１０１  ランプユニット
１０２，８０２  色変調パネル
１０３，８０３  リレーレンズ
１０４，８０４  輝度変調パネル
１０５  投射レンズ
１０７  色変調パネル駆動部
１１０  輝度変調パネル駆動部
１１４  色むら補正データ
１１６  輝度むら補正データ
【図１】
2019041189.tif 000003
【図２】
2019041189.tif 000004
【図３】
2019041189.tif 000005
【図４】
2019041189.tif 000006
【図５】
2019041189.tif 000007
【図６】
2019041189.tif 000008
【図７】
2019041189.tif 000009
【図８】
2019041189.tif 000010